(57)【要約】【課題】各ユニット部が一体化され設置性や可搬性に優れた無線方式のカードリーダ装置と、利用者が入場／退場の操作区別を意識しなくとも入退場時間を管理できるシステムを提供する。【解決手段】カードリーダ装置１は、無線基地局２を介して情報収集装置３とデータのやり取りを行う無線ユニット１６を備え、ＣＰＵ１２は、カード媒体から読み取った利用者の個人ＩＤを含むカード情報を情報収集装置３に送信することで情報収集装置３に対して個人ＩＤ毎の入退場の管理を行わせ、そのカード情報送信の返信として情報収集装置３から受信する入退場の区別を示す情報を表示ユニット１８に明示する。更に、ＣＰＵ１２は、無線ＬＡＮの電界強度を無線ユニット１６に測定させ、その電界強度に応じた送受信可能状態の度合いを点灯個数にしてインジケータ１７のＬＥＤランプ１７１〜１７５に表示する。【選択図】      図２
2004194029.tif 000002
【特許請求の範囲】
【請求項１】
入退場の管理を行う情報収集装置で集計するカード媒体に記録された情報の読み取りを行うカードリーダ装置において、
無線ＬＡＮで通信を行う無線ＬＡＮアクセスポイントを介して前記情報収集装置とデータのやり取りを行う送受信手段と、
前記カード媒体から読み取った利用者の個人ＩＤを含むカード情報を前記情報収集装置に送信することで前記情報収集装置に対して前記個人ＩＤ毎の入退場の管理を行わせるカード情報送信手段と、
前記カード情報送信手段の返信として前記情報収集装置から受信する入退場の区別を示す情報を明示する明示手段と、を有することを特徴とするカードリーダ装置。
【請求項２】
前記無線ＬＡＮの電界強度を測定しその電界強度に応じた送受信可能状態の度合いを表示する表示手段を有することを特徴とする請求項１記載のカードリーダ装置。
【請求項３】
前記表示手段は、送受信可能状態の度合いの強さに応じた個数分のランプを点灯させることを特徴とする請求項２記載のカードリーダ装置。
【請求項４】
前記表示手段は、前記無線ＬＡＮアクセスポイントと通信できない状態と判断された場合には送受信可能状態の度合いを表示するランプ全てを滅灯させることを特徴とする請求項２または３記載のカードリーダ装置。
【請求項５】
前記明示手段は、入退場の区別を行う音声の通知または／および入退場の区別のあるランプの点灯を行うことを特徴とする請求項１記載のカードリーダ装置。
【請求項６】
カード媒体に記録された情報の読み取りを行う複数のカードリーダ装置と、入退場の管理を行う情報収集装置と、を備えた入退場管理システムであって、
前記複数のカードリーダと前記情報収集装置とのデータのやり取りの中継を行う無線ＬＡＮアクセスポイントを備え、
前記カードリーダ装置は、前記無線ＬＡＮアクセスポイントと無線ＬＡＮでデータの送受信を行う送受信手段と、
前記カード媒体から読み取った利用者の個人ＩＤを含むカード情報を前記情報収集装置に前記無線ＬＡＮアクセスポイントを介して送信するカード情報送信手段と、
前記カード情報を前記情報収集装置に送信することで前記情報収集装置から受信する入退場の区別を示す情報を明示する明示手段と、を有し、
前記情報収集装置は、前記カード情報を受信すると前記個人ＩＤ毎に入退場の区別を示す情報を記録する記録手段と、
前記記録手段で記録する前記入退場の区別を示す情報を前記カードリーダ装置に送信する入退場区別情報送信手段と、を有することを特徴とする入退場管理システム。
【請求項７】
前記カードリーダ装置は、前記無線ＬＡＮの電界強度を測定しその電界強度に応じた送受信可能状態の度合いを表示する表示手段を有することを特徴とする請求項６記載の入退場管理システム。
【請求項８】
前記表示手段は、送受信可能状態の度合いの強さに応じた個数分のランプを点灯させることを特徴とする請求項７記載の入退場管理システム。
【請求項９】
前記表示手段は、前記無線ＬＡＮアクセスポイントと通信できない状態と判断された場合には送受信可能状態の度合いを表示するランプ全てを滅灯させることを特徴とする請求項７または８記載の入退場管理システム。
【請求項１０】
前記明示手段は、入退場の区別を行う音声の通知または／および入退場の区別のあるランプの点灯を行うことを特徴とする請求項６記載の入退場管理システム。
【請求項１１】
カード媒体に記録された情報の読み取りを行う複数のカードリーダ装置と、入退場の管理を行う情報収集装置と、を準備し入退管理を行う入退場管理方法であって、
利用者の個人ＩＤ毎に入退場の区別を示す情報を管理する入退管理テーブルを前記情報収集装置内に準備し、
前記カードリーダ装置が前記カード媒体から読み取った利用者の個人ＩＤを含むカード情報を前記情報収集装置に対して無線ＬＡＮを介して送信するステップと、
前記情報収集装置が前記カードリーダ装置から前記カード情報を受信した場合に前記カード情報から抽出した個人ＩＤに該当する入退場の区別を示す情報が前記入退管理テーブルに退場を示す情報として記録されていれば入場を示す情報を前記入退管理テーブルに記録するステップと、
前記情報収集装置が前記カードリーダ装置から前記カード情報を受信した場合に前記カード情報から抽出した個人ＩＤに該当する入退場の区別を示す情報が前記入退管理テーブルに入場を示す情報として記録されていれば退場を示す情報を前記入退管理テーブルに記録するステップと、
前記情報収集装置が前記記録した入退場の区別を示す情報を前記カードリーダ装置に対して前記無線ＬＡＮを介して送信するステップと、
前記カードリーダ装置が前記情報収集装置から受信する入退場の区別を示す情報に基づいて入場または退場の区別を明示するステップと、を含むことを特徴とする入退場管理方法。
【請求項１２】
前記カードリーダ装置が前記無線ＬＡＮの電界強度を測定しその電界強度に応じた送受信可能状態の度合いを表示するステップを含むことを特徴とする請求項１１記載の入退場管理方法。
【請求項１３】
前記表示するステップは、送受信可能状態の度合いの強さに応じた個数分のランプを点灯させることを特徴とする請求項１２記載の入退場管理方法。
【請求項１４】
前記表示するステップは、前記無線ＬＡＮアクセスポイントと通信できない状態と判断された場合には送受信可能状態の度合いを表示するランプ全てを滅灯させることを特徴とする請求項１２または１３記載の入退場管理方法。
【請求項１５】
前記明示するステップは、入退場の区別を行う音声の通知または／および入退場の区別のあるランプの点灯を行うことを特徴とする請求項１１記載の入退場管理方法。
【発明の詳細な説明】
【０００１】
【発明の属する技術分野】
本発明は、入退場の管理を行うシステムで集計するためにカード媒体に記録された情報の読み取りを行うカードリーダ装置、入退場の管理を行う入退場管理システムおよび方法に関し、特に、カード操作者が入退場を意識しなくとも入退場の区別ができるカードリーダ装置、入退場管理システム、および入退場管理方法に関する。
【０００２】
【従来の技術】
従来のカードリーダ装置は、ＲＳ−２３２ＣやＵＳＢインタフェース等の汎用インタフェースを用いて、パソコン等のホストコンピュータと接続し、カード媒体に対するデータの入出力制御はホストコンピュータ側で行う方式であった為、カード媒体に記録されている情報をカードリーダ装置で読み込む為だけであっても、少なくともカードリーダ装置と、パソコン等の２つの装置（筐体）が必要であった。
【０００３】
また、カード媒体から情報を読み取るセンサ部と、カード媒体に対するデータの入出力制御を行う制御部が一体化された装置であっても、カード媒体から読み取ったデータを集計する為に情報収集装置へデータを伝送する手段は構内電話配線や有線ＬＡＮを用いた方式のものであった。
【０００４】
また、上記と同様にセンサ部と制御部が一体化され、フレキシブルに持ち運びができるハンディ型タイプのカードリーダ装置であっても、カード媒体から読み込んだデータはカードリーダ装置内に保持されている為、情報収集装置等へデータを伝送する為には、情報収集装置に接続されているベース台等へ装着し、データ伝送処理を手動で行う必要があった。
【０００５】
カードリーダ装置とカード媒体の利用方法として、例えば特定場所への入退場を管理するシステムに利用されているが、非接触型のカードを用いた利用方法として特開平８−２５４０５０号公報および特開平７−３２０００７号公報に開示されている。特開平８−２５４０５０号公報によれば、媒体から読み取った情報を照合し正当性が判断されたならば、利用者が何らかの意思表示手段を用いて入退場の意思表示を行い、入退場の可否を判定する方法が提案されている。更に、特開平７−３２０００７号公報によれば、複数の周波数帯が送受信可能なカード媒体を用いることによって、カード(利用者)の移動方向を認識し、入退場管理を行う方法が提案されている。
【０００６】
【特許文献１】
特開平８−２５４０５０号公報
【特許文献２】
特開平７−３２０００７号公報
【０００７】
【発明が解決しようとする課題】
上述した従来のカードリーダ装置は、カード媒体に記録されている情報をカードリーダ装置で読み込む為だけであっても、少なくともカードリーダ装置と、パソコン等の２つの装置（筐体）が必要であるという問題点がある。
【０００８】
また、カード媒体から情報を読み取るセンサ部と、カード媒体に対するデータの入出力制御を行う制御部が一体化された装置であっても、カード媒体から読み取ったデータを集計する為に情報収集装置へデータを伝送する手段に構内電話配線や有線ＬＡＮを用いている為、フレキシブル且つ容易に移設等が行えないという問題点がある。
【０００９】
また、上記と同様にセンサ部と制御部が一体化され、フレキシブルに持ち運びができるハンディ型タイプのカードリーダ装置であっても、カード媒体から読み込んだデータはカードリーダ装置内に保持されている為、情報収集装置等へデータを伝送する為には、情報収集装置に接続されているベース台等へ装着し、データ伝送処理を手動で行う必要があるという問題点とそれに伴う情報収集装置へのデータ伝送がリアルタイムに行えないという問題点がある。更に、このような制約からカードリーダ自身を任意の場所へ固定設置することもできないという問題点がある。
【００１０】
また、入退場を管理するシステムとして、特開平８−２５４０５０号公報では、カード媒体を保有している利用者の入退場の意志に関係なく無駄なゲート制御を防止する効果を期待できるが、利用者が入退場を意識してスイッチ操作を行う必要があるという問題点がある。更に、特開平７−３２０００７号公報では、カード媒体を保有している利用者が入退場を意識する必要性は無いが、複数の周波数帯が送受信可能なカード媒体を用いる必要がある為、単一周波数だけを扱うカード媒体よりもコストがかさむという問題点がある。
【００１１】
本発明の目的は、上記の問題点を考慮してなされたもので、例えばフロアのレイアウト変更等により、一度設置したカードリーダ装置を移設しなければならない場合や、追加設置するような場合であっても、インタフェースケーブルの施設工事をなくすことにある。
【００１２】
また、本発明の別の目的は、通信状態測定機器を用いて、専門業者等による設置工事を行うことをなくすと共に、余分な設置工事のコストを削減することにある。
【００１３】
また、本発明の別の目的は、利用者が入退場時に行うカード操作時には、利用者が入退場の意識をすることなく、入退場の判別を利用者に知らせることにある。
【００１４】
【課題を解決するための手段】
上記問題点を解決するために、本発明のカードリーダ装置は、入退場の管理を行う情報収集装置で集計するカード媒体に記録された情報の読み取りを行うカードリーダ装置において、無線ＬＡＮで通信を行う無線ＬＡＮアクセスポイントを介して前記情報収集装置とデータのやり取りを行う送受信手段と、前記カード媒体から読み取った利用者の個人ＩＤを含むカード情報を前記情報収集装置に送信することで前記情報収集装置に対して前記個人ＩＤ毎の入退場の管理を行わせるカード情報送信手段と、前記カード情報送信手段の返信として前記情報収集装置から受信する入退場の区別を示す情報を明示する明示手段と、を有することを特徴としている。
【００１５】
更に、上記のカードリーダ装置において、前記無線ＬＡＮの電界強度を測定しその電界強度に応じた送受信可能状態の度合いを表示する表示手段を有することを特徴としている。
【００１６】
更に、上記のカードリーダ装置において、前記表示手段は、送受信可能状態の度合いの強さに応じた個数分のランプを点灯させることを特徴としている。
【００１７】
更に、上記のカードリーダ装置において、前記表示手段は、前記無線ＬＡＮアクセスポイントと通信できない状態と判断された場合には送受信可能状態の度合いを表示するランプ全てを滅灯させることを特徴としている。
【００１８】
更に、上記のカードリーダ装置において、前記明示手段は、入退場の区別を行う音声の通知または／および入退場の区別のあるランプの点灯を行うことを特徴としている。
【００１９】
また、本発明の入退場管理システムは、カード媒体に記録された情報の読み取りを行う複数のカードリーダ装置と、入退場の管理を行う情報収集装置と、を備えた入退場管理システムであって、前記複数のカードリーダと前記情報収集装置とのデータのやり取りの中継を行う無線ＬＡＮアクセスポイントを備え、前記カードリーダ装置は、前記無線ＬＡＮアクセスポイントと無線ＬＡＮでデータの送受信を行う送受信手段と、前記カード媒体から読み取った利用者の個人ＩＤを含むカード情報を前記情報収集装置に前記無線ＬＡＮアクセスポイントを介して送信するカード情報送信手段と、前記カード情報を前記情報収集装置に送信することで前記情報収集装置から受信する入退場の区別を示す情報を明示する明示手段と、を有し、前記情報収集装置は、前記カード情報を受信すると前記個人ＩＤ毎に入退場の区別を示す情報を記録する記録手段と、前記記録手段で記録する前記入退場の区別を示す情報を前記カードリーダ装置に送信する入退場区別情報送信手段と、を有することを特徴としている。
【００２０】
更に、上記の入退場管理システムにおいて、前記カードリーダ装置は、前記無線ＬＡＮの電界強度を測定しその電界強度に応じた送受信可能状態の度合いを表示する表示手段を有することを特徴としている。
【００２１】
更に、上記の入退場管理システムにおいて、前記表示手段は、送受信可能状態の度合いの強さに応じた個数分のランプを点灯させることを特徴としている。
【００２２】
更に、上記の入退場管理システムにおいて、前記表示手段は、前記無線ＬＡＮアクセスポイントと通信できない状態と判断された場合には送受信可能状態の度合いを表示するランプ全てを滅灯させることを特徴としている。
【００２３】
更に、上記の入退場管理システムにおいて、前記明示手段は、入退場の区別を行う音声の通知または／および入退場の区別のあるランプの点灯を行うことを特徴としている。
【００２４】
また、本発明の入退場管理方法は、カード媒体に記録された情報の読み取りを行う複数のカードリーダ装置と、入退場の管理を行う情報収集装置と、を準備し入退管理を行う入退場管理方法であって、利用者の個人ＩＤ毎に入退場の区別を示す情報を管理する入退管理テーブルを前記情報収集装置内に準備し、前記カードリーダ装置が前記カード媒体から読み取った利用者の個人ＩＤを含むカード情報を前記情報収集装置に対して無線ＬＡＮを介して送信するステップと、前記情報収集装置が前記カードリーダ装置から前記カード情報を受信した場合に前記カード情報から抽出した個人ＩＤに該当する入退場の区別を示す情報が前記入退管理テーブルに退場を示す情報として記録されていれば入場を示す情報を前記入退管理テーブルに記録するステップと、前記情報収集装置が前記カードリーダ装置から前記カード情報を受信した場合に前記カード情報から抽出した個人ＩＤに該当する入退場の区別を示す情報が前記入退管理テーブルに入場を示す情報として記録されていれば退場を示す情報を前記入退管理テーブルに記録するステップと、前記情報収集装置が前記記録した入退場の区別を示す情報を前記カードリーダ装置に対して前記無線ＬＡＮを介して送信するステップと、前記カードリーダ装置が前記情報収集装置から受信する入退場の区別を示す情報に基づいて入場または退場の区別を明示するステップと、を含むことを特徴としている。
【００２５】
更に、上記の入退場管理方法において、前記カードリーダ装置が前記無線ＬＡＮの電界強度を測定しその電界強度に応じた送受信可能状態の度合いを表示するステップを含むことを特徴としている。
【００２６】
更に、上記の入退場管理方法において、前記表示するステップは、送受信可能状態の度合いの強さに応じた個数分のランプを点灯させることを特徴としている。
【００２７】
更に、上記の入退場管理方法において、前記表示するステップは、前記無線ＬＡＮアクセスポイントと通信できない状態と判断された場合には送受信可能状態の度合いを表示するランプ全てを滅灯させることを特徴としている。
【００２８】
更に、上記の入退場管理方法において、前記明示するステップは、入退場の区別を行う音声の通知または／および入退場の区別のあるランプの点灯を行うことを特徴としている。
【００２９】
【発明の実施の形態】
次に、本発明の実施の形態について、図面を参照して説明する。
【００３０】
図１を参照すると、本発明の実施の形態のシステムの構成を示すブロック図であって、このシステムは、複数のカードリーダ装置１（図１では、カードリーダ装置１−１，１−２，１−３）と、情報収集装置３と、複数のカードリーダ装置１と情報収集装置３とのデータのやり取りの中継を行う無線ＬＡＮアクセスポイントである無線基地局２と、無線基地局２と複数のカードリーダ装置１とを無線ＬＡＮ（例えば、ＩＥＥＥ８０２．１１仕様の無線ＬＡＮ）で接続する無線ＬＡＮ９０１と、情報収集装置３と無線基地局２とを有線ＬＡＮ（例えば、ＩＥＥＥ８０２．３仕様の有線ＬＡＮ）で接続するＬＡＮ９０２とで構成される。なお、ＬＡＮ９０２を有線ＬＡＮとしたが、無線ＬＡＮでも良い。また、図１における無線基地局２の記載数量は１つであるが、情報収集装置３と接続されていれば複数台あっても良い。
【００３１】
図１の情報収集装置３は、図示していないプロセッサ（ＣＰＵ）によりプログラム制御で動作するパソコン、ホストコンピュータ、ワークステーション、サーバ等の情報処理装置であって、入退管理テーブル３１と、入退場時間管理テーブル３２とを情報収集装置３内の図示していない記憶装置（例えば、磁気ディスク）に保有している。
【００３２】
図１の入退管理テーブル３１は、図７の一例に示すように、予め登録された利用者の個人ＩＤ毎に管理できるように、利用者の識別を示す個人ＩＤと、カードリーダ装置１の識別を示すカードリーダ番号と、入場しているか退場しているかの識別を示す入退フラグとの各エリアが割り当てられている。
【００３３】
図１の入退場時間管理テーブル３２は、図９の一例に示すように、利用者の入退場の時間管理ができるように、カードリーダ装置１の識別を示すカードリーダ番号と、利用者の識別を示す個人ＩＤと、入場の日時を示す入場日時と、退場の日時を示す退場日時と、入場していた時間を示す入場時間との各エリアが割り当てられている。
【００３４】
図２を参照すると、図１のカードリーダ装置１の内部の構成を示すブロック図である。図２において、１は本発明のカードリーダ装置の本体である。１２はマイクロコンピュータのＣＰＵであり、カードリーダ装置内の各ユニットの制御部等として機能する。１３はプログラムＲＯＭであり、ＣＰＵ１２上で動作する本発明のカードリーダ装置内の各ユニットを制御する為のソフトウェアを含んだオペレーティングシステム、スピーカ１９から発声する音声データ、カードリーダ装置情報としての装置番号（カードリーダ番号）、および電界強度と点灯個数との関係を示した電界強度変換テーブルが格納されている。尚、これらのデータを格納するのは、ＲＯＭでなくディスクドライブ等の記憶装置であっても良い。更に、カードリーダ装置情報は上記ＲＯＭ等の記録装置に格納せず、スイッチ等を用いてそこで設定されている内容を反映させても良い。１４はメモリであり、ＲＯＭ１３に格納されているオペレーティングシステムや、カードリーダ装置内の各ユニットを制御するソフトウェアが展開され、ＣＰＵ１２によって実行される。更にメモリ１４にはＣＰＵ１２によって処理されるカードデータが一時的に格納される。１５はカード媒体から情報を読み取るカードリーダユニットである。尚、このカードリーダユニットは非接触型ＩＣカードや、接触型ＩＣカード、磁気カード等の一般的なカードを扱えるユニットであれば何でも良く、本発明ではカードの種類を限定するものでは無い。なお、カード媒体には、利用者の個人ＩＤ（個人識別番号）を含む情報が格納されている。１６は無線ユニットで、カードリーダ装置１が情報収集装置とデータやコマンドの送受信を行う為の通信装置である。更に無線ユニット１６は、無線基地局２からの受信信号のＳ／Ｎ比の値である電界強度を測定する機能を有している。１７はインジケータユニットであり、無線ユニット１６の通信状態を示す。１８は表示ユニットであり、カード媒体をカードリーダユニット１５に読み込ませた場合に入場／退場の識別を表示する。１９はスピーカであり、利用者がカードリーダユニット１５に対してカード媒体を操作した結果について、ブザー音や音声データを発声させる。１０は内部バスであり、ＣＰＵ１２と内部バス１０を介して各部が接続させており、各ユニット部に対しての制御コマンドやレスポンスステータス、カード媒体から読み取ったデータ等の各データが転送される。１１は電源であり、各部に必要な安定化電圧を供給している。
【００３５】
図３を参照すると、カードリーダ装置１を利用者が使用する場合、カードリーダ装置１の構成のうちユーザインタフェースを必要とするユニット部分を図示したものである。図３においてカードリーダユニット１５は、利用者がカード媒体を直接操作する部分である為、カードリーダユニット１５にカード媒体を設定する場所が明示（例えば、カード媒体を置く場所、カード媒体を挿入する場所等の表示）されている。インジケータユニット１７では、例えば、インジケータランプとして５個のＬＥＤランプであるＬＥＤランプ１７１〜１７５を設け、無線ユニット１６の通信状態に応じ、電界強度がかなり弱い場合は１７１だけの点灯、電界強度が弱い場合は１７１と１７２の点灯といったように、電界強度が強くなるに従って１７１から１７５のＬＥＤランプを点灯させることで、送受信可能状態の度合いの強さを明示する。すなわち、ＣＰＵ１２は、無線ユニット１６が測定した電界強度を、メモリ１４（ＲＯＭ１３からメモリ１４に展開されている）内の電界強度対応テーブル内の電界強度（受信信号のＳ／Ｎ比値）に該当する点灯個数を抽出し、その抽出した個数分、インジケータユニット１７のＬＥＤランプを点灯させる。電界強度が強いということは、一般的に伝送距離や伝送速度が仕様上の最大性能を発揮できる状態に近い為、例えば最大１１Ｍｂｐｓの伝送速度性能を有している無線ユニットの場合、ＣＰＵ１２は、１０Ｍｂｐｓ以上（この速度に該当する電界強度の範囲が電界強度対応テーブル内に設定されており、その電界強度に対応する点灯個数が５に設定）の伝送速度が確保できる場合には１７１〜１７５迄の全てのＬＥＤランプを点灯させ、８Ｍｂｐｓ以上１０Ｍｂｐｓ未満（この速度に該当する電界強度の範囲が電界強度対応テーブル内に設定されており、その電界強度に対応する点灯個数が４に設定）であれば１７１〜１７４の４つのＬＥＤランプを点灯、５Ｍｂｐｓ以上８Ｍｂｐｓ未満（この速度に該当する電界強度の範囲が電界強度対応テーブル内に設定されており、その電界強度に対応する点灯個数が３に設定）であれば１７１〜１７３の３つのＬＥＤランプを点灯、２Ｍｂｐｓ以上５Ｍｂｐｓ未満（この速度に該当する電界強度の範囲が電界強度対応テーブル内に設定されており、その電界強度に対応する点灯個数が２に設定）であれば１７１〜１７２の２つのＬＥＤランプを点灯、伝送は可能であるが２Ｍｂｐｓ未満（この速度に該当する電界強度の範囲が電界強度対応テーブル内に設定されており、その電界強度に対応する点灯個数が１に設定）であれば１７１の１つだけのＬＥＤランプを点灯、伝送がほぼできない状態（この速度に該当する電界強度の範囲が電界強度対応テーブル内に設定されており、その電界強度に対応する点灯個数が０に設定）であれば１７１〜１７５のＬＥＤランプを滅灯させ、利用者に電波状態を明示する。尚、このインジケータ１７の表示方式はＬＥＤランプやＬＥＤランプの個数で限定するものではなく、アナログ指針方式やＬＣＤパネル等に表示する方式であっても良い。表示ユニット１８は、例えば、入場を示すＬＥＤランプ１８１と、退場を示すＬＥＤランプ１８２とから構成されている。ＬＥＤランプ１８１は、カード媒体がカードリーダユニット１５にカード情報を読み込まれ、入場と判断された場合に、ＣＰＵ１２の制御の基で一定の時間点灯する。ＬＥＤランプ１８２は、カード媒体がカードリーダユニット１５にカード情報を読み込まれ、退場と判断された場合に、ＣＰＵ１２の制御の基で一定の時間点灯する。
【００３６】
次に、図１〜図９を参照して、本発明の実施の形態の動作について、説明する。
【００３７】
図４は、図２、図３におけるカードリーダ装置１の起動時における処理手順や、無線ユニット１６の送受信可能状態をインジケータユニット１７で明示する為の処理手順を示したフローチャートである。図４において、カードリーダ装置１を起動すると、ＣＰＵ１２は、ＲＯＭ１３に格納されているオペレーティングシステムや音声データ、カードリーダ装置情報、電界強度変換テーブル等をＣＰＵ１２の上で実行や参照が可能なようにメモリ１４へ展開する（図４のステップＳ１０１）。オペレーティングシステムがメモリ１４へ展開すると、ＣＰＵ１２は、初期動作としてカードリーダユニット１５、無線ユニット１６、インジケータユニット１７、および表示ユニット１８に対して初期化処理を実行し、各ユニットを動作可能状態に設定する（ステップＳ１０２）。ステップＳ１０２の初期化処理終了後のカードリーダユニット１５の動作は、図６を用いて後ほど詳細に説明する。ステップＳ１０２の各ユニットの初期化処理終了後、ＣＰＵ１２は、無線ユニット１６の状態をセンスし、無線ユニット１６が送受信できている電界強度の状態を取得する（ステップＳ１０３）。ＣＰＵ１２は、ステップＳ１０３で取得した電界強度がデータの送受信を行えるレベルかをメモリ１４内の電界強度変換テーブルを検索することで判断し、データの送受信を行えないレベル（電解強度が０もしくは非常に弱い状態）であれば、インジケータユニット１７の全てのＬＥＤランプを滅灯し、通信は確立していないことを利用者に知らせ、カードリーダ装置１内で保持している情報収集装置３との接続状況データをクリアし、無線ユニット１６の初期化処理を行う（ステップＳ１０５〜Ｓ１０６）。ＣＰＵ１２は、ステップＳ１０３で取得した電界強度がデータの送受信を行えるレベルであれば、図３で説明したように電界強度に応じてメモリ１４内の電界強度変換テーブルを検索し点灯個数を検出することにより、検出した個数分だけインジケータユニット１７のＬＥＤランプを点灯させる（ステップＳ１０７）。この時点において、カードリーダ装置１と情報収集装置３との間の回線が接続されていない状態の場合は、回線接続処理を実施する（ステップＳ１０８〜Ｓ１０９）。これらの処理はカードリーダ装置１の電源が投入されている間は継続的に実施し、再度ステップＳ１０３からの処理を実施する。
【００３８】
図５は、図３を用いて説明したカードリーダ装置１のインジケータユニット１７の表示例を、図４のフローチャートの動作に基づいて図示したものである。尚、図５で示すレイアウトにおいて、壁面は完全に電波を遮断するものとし、隣接する部屋には電界強度は減衰するが、ドア部分を経由することによってカードリーダ装置１と無線基地局２との間の電波の送受信は行えるものとする。図５のレイアウト外の部屋にある情報収集装置３がカードリーダ装置１と無線通信を行う為にある無線基地局２が部屋８１に設置されている状態（この場合、情報収集装置３と無線機基地局２との接続は、ＬＡＮケーブルの場合、床下配線でも良いし、ドア８６を介して配線しても良い）において、同じ部屋８１に設置されているカードリーダ装置１−１の無線電界強度は、図４のステップＳ１０３、ステップＳ１０４の動作で非常に強い状態であると判断し、ステップＳ１０７の動作においてインジケータユニット１７−１の全てのＬＥＤランプを点灯させる。部屋８１内の電界強度は均一に強い状態であるとすると、カードリーダ装置１−１のインジケータユニット１７−１のＬＥＤランプは、カードリーダ装置１−１を部屋８１の何処に設置しても全てが点灯する為、無線基地局２を経由して情報収集装置３と通信可能な状態であることが判断できる。次に部屋８２は、無線基地局２が設置されている部屋８１とは壁８５で区切られているが、ドア８７を経由することにより、無線基地局２とカードリーダ装置１−２は通信可能であると仮定する。但し、ドア８７を経由することによって、電界強度は減衰される為、部屋８２は部屋８１から比べて電界強度が弱い状態であると仮定する。その部屋８２にカードリーダ装置１−２を設置する場合、図４のステップＳ１０３、ステップＳ１０４の動作でカードリーダ装置１−２が、無線基地局２との間の電界強度を測定し、ステップＳ１０７の動作において電界強度に見合った分のインジケータユニット１７−２のＬＥＤランプを点灯させる。この場合の電界強度は、部屋８１から比べて弱い為、インジケータユニット１７−２は１７１と１７２の２つのＬＥＤランプを点灯させるレベルとする。これにより、部屋８２は部屋８１から比べて電界強度は低いが、カードリーダ装置１−２が無線基地局２を経由して情報収集装置３との通信は可能であると判断できる。更に、無線基地局２が設置されている部屋８１とは壁８５で完全に区切られ、電波の送受信を行う為には部屋８１と部屋８２間のドア８７と、部屋８２と部屋８３間のドア８８を経由して行う部屋８３を想定する。この場合、ドア８７とドア８８のそれぞれで電界強度が減衰される為、部屋８３での電界強度は非常に弱い状態であると仮定する。その部屋８３にカードリーダ装置１−３を設置する場合、図４のステップＳ１０３、ステップＳ１０４の動作でカードリーダ装置１−３が、無線基地局２との間の電界強度を測定するが、電界強度が非常に弱い状態である為、ステップＳ１０５の動作においてインジケータユニット１７−３のＬＥＤランプを滅灯させる。これにより、部屋８３では、カードリーダ装置１−３が無線基地局２を経由して情報収集装置３との通信が不可能であると判断できる。
【００３９】
図６は、図４のステップＳ１０２において、カードリーダユニットの初期化処理が終了した後のカードリーダ装置１および情報収集装置３それぞれの処理手順と、入退場管理を情報収集装置３のアプリケーションプログラムで管理する処理手順を示したフローチャートである。図４のステップＳ１０２において、カードリーダ装置１の初期化処理が終了すると、カードリーダユニット１５は、利用者がカード操作を行うまでの読み取り待ちの状態になる（ステップＳ２０１）。利用者がカードリーダ装置１に対してカード操作を行うと、ＣＰＵ１２は、カードリーダユニット１５を介してカード媒体に記録されている個人ＩＤ等のカード情報を読み取る（ステップＳ２０２）。カードリーダ装置１のＣＰＵ１２は、ステップＳ２０２で読み取ったカード情報と、カードリーダ装置１自身を示す装置番号情報を、無線ユニット１６を介して情報収集装置３へ送信する（ステップＳ２０３）。情報収集装置３は、ステップＳ２０３でカードリーダ装置１が送信した情報を受信すると、情報収集装置３内の入退管理テーブル３１を図示していないメモリ（例えば、ＲＡＭ）上に展開し（ステップＳ２０４）、個人ＩＤをキーとして入退管理テーブル３１の入退フラグを検索することにより当該利用者が入場済みか否かを判断する（ステップＳ２０５）。尚、ステップＳ２０４において展開する入退管理テーブル３１は、利用者がカードリーダ装置１に対してカードアクセスを行う都度展開するのではなく、情報収集装置３のアプリケーションプログラム起動時に、情報収集装置３内のメモリ上に展開し、その後の処理はメモリ上のテーブルを参照しても良い。ステップＳ２０５で該当利用者が退場済み（入場していない）の状態となっている場合には、情報収集装置３は、入退管理テーブル３１の入退フラグを、入場を表す状態に変更し、どこに設置されたカードリーダ装置か判断できるようにカードリーダ装置番号も記録する（ステップＳ２０６）。ステップＳ２０６で入退管理テーブル３１の更新処理が終了したならば、情報収集装置３は、ステップＳ２０２でカード読み取り処理を実施したカードリーダ装置１へ当該利用者は入場である旨を示す情報を送信する（ステップＳ２０７〜ステップＳ２０８）。ステップＳ２０５で既に当該利用者の入退場フラグが入場済みとなっている場合には、当該利用者は退場する目的であるので、入退管理テーブル３１の当該個人ＩＤの利用者は何れの場所にも入場していない旨を示す為に、情報収集装置３は、入退フラグとカードリーダ装置番号をクリアし（ステップＳ２０９）、ステップＳ２０２でカード読み取り処理を実施したカードリーダ装置に対して、当該利用者は退場である旨を示す情報を送信する（ステップＳ２１０、ステップＳ２０８）。カードリーダ装置１のＣＰＵ１２は、ステップＳ２０８で送信された情報収集装置３からのデータを、無線ユニット１６を介して受信すると（ステップＳ２１１）、受信したデータが入場を示すものか退場を示すものかを判断する（ステップＳ２１２）。入場であれば、ＣＰＵ１２は、ＲＯＭ１３に格納された入場に該当する音声情報を読み出しスピーカ１９を介して入場を示す音声の案内を行い、表示ユニット１８のＬＥＤランプ１８１（入場表示用）を一定時間点灯することで、当該利用者が入場として処理していることを当該利用者へ案内する（ステップＳ２１３）。反対にステップＳ２１１で受信したデータがステップＳ２１２で退場を示すものであれば、ＣＰＵ１２は、ＲＯＭ１３に格納された退場に該当する音声情報を読み出しスピーカ１９を介して退場を示す音声の案内を行い、表示ユニット１８のＬＥＤランプ１８２（退場表示用）を一定時間点灯することで、当該利用者が退場として処理していることを当該利用者へ案内する（ステップＳ２１４）。尚、この場合のカードリーダ装置１が設置されている場所を特定する為に、純粋にカードリーダ装置番号で照合しているが、一つのエリアに複数のカードリーダ装置１が設置されている様な状況の為に、カードリーダ装置番号とエリアを関連付けて、エリア番号で照合する様な方式でも良い。
【００４０】
図７は、図６のフローチャートにおいて、ステップＳ２０６やステップＳ２０９の処理で管理される入退管理テーブル３１を図示したものである。例えば、図７中において、個人ＩＤが０００１番の利用者は、カードリーダ番号に１１が記録され、入退フラグが１となっている為、カードリーダ番号１１番で割り付けられている場所に入場中であることを示すことになる。同様に個人ＩＤ０００２番の利用者は、カードリーダ番号がブランクで、入退フラグが０となっている為、何れの場所にも入場していないことを示すことになる。
【００４１】
図８および図９は、図６のフローチャートにおいて、情報収集装置３が入退フラグ処理とカードリーダ装置１へのレスポンスを送信した後に実行する処理を表したものである。図６のステップＳ２０８において、情報収集装置３は、カードリーダ装置１へのレスポンスデータを送信した後に、入退場時間管理テーブル３２に該当者の入出場時刻情報を記録する為に、該当個人を入場として処理するのか、退場として処理するのか入退管理テーブル３１から判断する（ステップＳ３０１）。ステップＳ３０１で入場処理として判断すると、情報収集装置３は、入退場時間管理テーブル３２に新規レコードとして、図６のステップＳ２０６で入退管理テーブル３１に記録した内容と同じカードリーダ番号および個人ＩＤと、処理を実行している時点の日時情報とを入場日時情報として記録する（ステップＳ３０２）。例えば個人ＩＤが０００４番の利用者が入場目的で９月２日の８時５６分にカードリーダ番号１３番でカード操作した場合、情報収集装置３がステップＳ３０２の処理を実行すると、入退場時間管理テーブル３２は、図９の（１）で示す状態から図９の（２）で示す状態へ遷移する。ステップＳ３０１で退場処理として判断すると、情報収集装置３は、入退管理テーブル３１内の各レコードに対し図６のステップＳ２０９でクリアする前に記録されていた内容と同じカードリーダ番号および個人ＩＤを基に、入退場時間管理テーブル３２内で入場日時が記録され退場日時が記録されていないレコードを検索する（ステップＳ３０３）。ステップＳ３０３で検索した結果、図９の（２）で示されるような該当するレコードが存在した場合、情報収集装置３は、該当レコードに処理を実行している時点の日時情報を退場日時情報として記録し（ステップＳ３０５）、ステップＳ３０５で記録した退場日時と、その退場日時と同じレコードに記録されている入場日時から入場時間数を算出し同一レコードに記録する（ステップＳ３０６）。例えば個人ＩＤが０００４番の利用者が、退場目的で９月２日の１２時１０分にカードリーダ番号１３番でカード操作した場合、情報収集装置３がステップＳ３０５とステップＳ３０６の処理を実行すると、入退場時間管理テーブル３２は、図９の（２）で示す状態から図９の（３）で示す状態へ遷移する。ステップＳ３０３で検索した結果、該当するレコードが存在しない場合、情報収集装置３は、該当個人ＩＤで入場日時が記録されているレコードを検索し、該当レコードの退場日時を記録するエリアに、該当カードリーダ番号に対応する退場日時情報が無い旨を記録し、入場日時と退場日時から算出する入場時間も記録できない旨を記録する（ステップＳ３０７）。更に情報収集装置３は、入退場時間管理テーブル３２に新規レコードとして、ステップＳ２０４で受信したカード情報から抽出したカードリーダ番号（退場したカードリーダ番号）および個人ＩＤを記録し、図６のステップＳ２０９でクリアする前に記録されていた内容と同じカードリーダ番号および個人ＩＤによる入場日時情報は無い旨を記録し、同一レコードに退場日時を記録する。この際、入場日時情報が存在しない為、ステップＳ３０７と同様に、情報収集装置３は、入場日時と退場日時から算出する入場時間も記録できない旨を記録する（ステップＳ３０８）。例えば個人ＩＤが０００４番の利用者が入場目的で９月２日の１２時５６分にカードリーダ番号１１番でカード操作したにも関わらず、その後のカード操作をカードリーダ番号１３番で実施した場合には、入退場時間管理テーブル３２は、図１０の（１）で示す状態から図１０の（２）で示す状態へ遷移する。尚、この場合の利用者は、カードリーダ番号１１番での退場時のカード操作を忘れ、カードリーダ番号１３番での操作は入場目的であったとしても、図６のステップＳ２１４でシステム上は退場処理を実行している旨が利用者に通知されるので、利用者が再度カードリーダ１３番でカード操作を実施することにより、図６や図８で示す処理が実施される為、カードリーダ１３番で入場操作を実施した旨は記録される。
【００４２】
上記説明において、無線ＬＡＮアクセスポイントである無線基地局２をカードリーダ装置１および情報収集装置３との間に設置することで説明したが、無線基地局２を情報収集装置３のアダプタとして情報集装置３内に設置しても良い。この場合は、ＬＡＮ９０２が情報処理装置３内の内部バスとなり、無線基地局のアダプタが接続された構成となるため、容易に実現ができる。従って、無線基地局２を情報収集装置３に内蔵した構成も、本発明に含まれることは、言うまでもない。
【００４３】
また、上記の説明において、インジケータユニット１７をＬＣＤパネルにし、ＬＣＤパネルで目盛り形式に表示するようにしたとしても、１目盛りを１個のランプとすれば、上記の実施形態で説明した内容と同じなり、またＬＣＤパネルに数字で表示したとしても、点灯させるランプの個数を数字で表示させることになり、本発明に含まれることは言うまでもない。また、表示ユニット１８の２個のＬＥＤランプをＬＣＤパネルにランプとして表示するようにしたとしても、本発明に含まれることは言うまでもない。
【００４４】
また、上記説明したように、カードリーダ装置１は、カードリーダユニット１５により個人を識別するカード媒体からデータを読み取った情報を、無線ユニット１６から無線ＬＡＮで無線基地局２を経由して情報収集装置３へ送信しているため、カードリーダ装置１と無線基地局２との間にインタフェースケーブルは不要となり、更に各ユニットが一体化されているために、設置性や可搬性に優れている。
【００４５】
また、上記説明したように、無線ユニット１６の送受信可能状態を示すインジケータユニット１７を設けているため、カードリーダ装置１を設置しようとしている場所が、情報収集装置３と通信可能な場所か否かが容易に判断でき、カードリーダ装置を追加設置や移設する際においても、設置可能な場所を容易に特定することが可能である。
【００４６】
また、上記説明したように、利用者の入退場を情報収集装置３が入退管理テーブル３１により個人ＩＤ毎の入退の有無を管理しているため、利用者がカードリーダ装置１において個人ＩＤを搭載したカード媒体のカード操作を行う際に入退場区別を意識して操作する必要がなくなる。
【００４７】
【発明の効果】
以上、説明したように、本発明は、カードリーダ装置からカードから読み取ったデータを、収集分析する情報処理装置に無線基地局（無線ＬＡＮアクセスポイント）を介して送信しているため、カードリーダ装置と情報収集装置との間のインタフェースケーブルが不要になり、設置性や可搬性に優れるという効果を得ることができる。
【００４８】
また、本発明は、無線ユニットの送受信可能状態を示すインジケータをカードリーダ装置内に設け、無線基地局との通信可能状態を判別できる機能を有しているため、一旦設置したカードリーダ装置を移設する場合や、カードリーダ装置を増設する場合であっても、通信状態測定機器等を用いて設置予定場所に設置可否を判断する為の事前検証を行わなくとも、設置可能場所を特定できるという効果がある。更に、専用の測定機器を用いたり、工事業者でなくともカードリーダ装置の設置可能場所を特定できるという効果がある。
【００４９】
また、本発明は、利用者の入退場を情報収集装置が個人ＩＤ毎の入退の有無を管理しているため、利用者がカードリーダ装置においてカード操作を行う際に入退場区別を意識して操作する必要がなくなるという効果がある。
【図面の簡単な説明】
【図１】本発明の実施の形態のシステムの構成を示すブロック図。
【図２】図１のカードリーダ装置の内部の構成を示すブロック図。
【図３】図１のカードリーダ装置において、ユーザインタフェース部分を概略的に示すブロック図。
【図４】図１のカードリーダ装置の起動時における処理手順と、無線ユニットの送受信可能状態をインジケータユニットに明示する為の処理手順を示したフローチャート。
【図５】図２のインジケータユニットの表示例を、設置場所によって変化することを明示した概略図。
【図６】図１のカードリーダ装置がカードリーダユニットの初期化処理終了後に、カードリーダ装置および情報収集装置の処理手順を示したフローチャート。
【図７】図６のフローチャートにおいて、図１の情報収集装置で処理される入退管理テーブルの記録形式例を示した概略図。
【図８】図１の情報収集装置が入退場管理を行う際の処理の概要を示したフローチャート。
【図９】図８のフローチャートにおいて処理される入退時間管理テーブル内のレコード内容の記録形式例と内容遷移（入場例および入場と同じカードリーダ番号からの退場例）を示した概略図。
【図１０】図８のフローチャートにおいて処理される入退時間管理テーブル内のレコード内容の記録形式例と内容遷移（入場と違うカードリーダ番号からの退場例）を示した概略図。
【符号の説明】
１    カードリーダ装置
２    無線基地局
３    情報収集装置
１０    内部バス
１１    電源
１２    ＣＰＵ
１３    ＲＯＭ
１４    メモリ
１５    カードリーダユニット
１６    無線ユニット
１７    インジケータユニット
１８    表示ユニット
１９    スピーカ
１７１，１７２，１７３，１７４，１７５，１８１，１８２    ＬＥＤランプ
８１，８２，８３    部屋
８５    壁
８６，８７，８８    ドア
【図１】
2004194029.tif 000003
【図２】
2004194029.tif 000004
【図３】
2004194029.tif 000005
【図４】
2004194029.tif 000006
【図５】
2004194029.tif 000007
【図６】
2004194029.tif 000008
【図７】
2004194029.tif 000009
【図８】
2004194029.tif 000010
【図９】
2004194029.tif 000011
【図１０】
2004194029.tif 000012